(57)【特許請求の範囲】
【請求項１】
側壁と、上方に向けて開口した開口部と、を有し、水石鹸を貯溜するタンクと、
前記タンクに貯溜された水石鹸を吐出する吐出部と、
前記開口部を開閉する蓋体と、
前記タンクへ前記蓋体を取り付けるための取付手段と、
を備え、
前記取付手段を中心軸として前記蓋体を回転させることで前記開口部の外部に露出する開放面積を変化させ、前記開口部を開閉する水石鹸供給装置であって、
前記蓋体は、下方に向けて垂下し、前記開口部が全閉状態のときに前記側壁の内面に当接することで前記蓋体の回転動作を規制する垂下片を有し、
前記取付手段は、前記タンク及び前記蓋体の一方に設けられた係止爪と、他方に設けられた係止孔と、を有し、前記係止爪を前記係止孔へ摺動させながら前記係止孔内へ内挿することで前記係止爪が前記係止孔内に係止されることを特徴とする水石鹸供給装置。
【請求項２】
前記蓋体の回転動作における中心軸と、前記係止孔の中心軸が同一であることを特徴とする請求項１記載の水石鹸供給装置。
【請求項３】
前記係止爪は、中央部から先端に向けて断面積が小さくなるように傾斜した第一傾斜面を有することを特徴とする請求項１又は２記載の水石鹸供給装置。
【請求項４】
前記係止爪は、前記第一傾斜面よりも基部側において基部から前記中央部に向けて断面積が大きくなるように傾斜した第二傾斜面を有することを特徴とする請求項３記載の水石鹸供給装置。
【請求項５】
前記中央部と交わる水平面に対する前記第一傾斜面の傾斜角度は、前記水平面に対する前記第二傾斜面の傾斜角度よりも大きいことを特徴とする請求項４記載の水石鹸供給装置。
【請求項６】
前記蓋体は、周壁を有し、
前記周壁と略同一の高さを有し、前記蓋体と前記タンクとの間に介在することで前記蓋体を前記タンクの上面に対して平行な状態で保持するための台座を設けたことを特徴とする請求項１乃至５のいずれか１項記載の水石鹸供給装置。
【請求項７】
前記垂下片は、前記蓋体を前記開口部が開状態から全閉状態になるように回転させたときに前記側壁の上端部に当接し、該回転の方向に向けて上り傾斜した当接面を有することを特徴とする請求項１乃至６のいずれか１項記載の水石鹸供給装置。
【請求項８】
前記垂下片は、前記蓋体を前記開放面積が大きくなる方向へ回転させたときに、前記開放面積が所定の開放面積に達すると該回転動作を規制することを特徴とする請求項１乃至７のいずれか１項記載の水石鹸供給装置。
【発明の詳細な説明】
【技術分野】
【０００１】
本発明は、水石鹸供給装置に関し、特に洗面所に設置される水石鹸供給装置に関する。
【０００２】
一般的に、公共施設の洗面所には、水やお湯が吐水される水栓装置とは別に水石鹸が供給される水石鹸供給装置が併設されている。この水石鹸供給装置の一例として、水石鹸を収容するタンクの下方に設けられた操作桿を上方に押し上げることで、タンク下面に設けられた吐出口と操作桿の間に隙間ができ、この隙間からタンク内に収容された水石鹸が下方へ吐出されるものが知られている（特許文献１参照）。
【０００３】
このような水石鹸供給装置は、タンク内の水石鹸が消耗してしまった場合にタンク内に水石鹸を補充する必要がある。特許文献１の水石鹸供給装置は、タンクの上面に設けられた開口を開閉する蓋体が、タンク上面において支軸を中心に回転可能に取り付けられ、この蓋体を支軸中心に回転させてタンクの開口を露出させることでタンク内への水石鹸の補充を行うことができる。
【先行技術文献】
【特許文献】
【０００４】
【特許文献１】特開２００８−２３７７３３号公報
【発明の概要】
【発明が解決しようとする課題】
【０００５】
しかし、特許文献１の水石鹸供給装置は、蓋体がタンクの開口を全閉した状態において容易に回転しないように、蓋体の下面端部が載置される段部をタンクの内面に設けているため、水石鹸の補充口となるタンク上面の開口の開口面積がタンクの最大断面積よりも小さくなっている。そのため、タンクへの水石鹸の補充がしにくかった。また、タンクに蓋体を取り付ける支軸はタンクの内側から上方に向けて固定されているため、タンクに蓋体を取り付けるときの組み立てが容易ではなかった。
【０００６】
本発明は、上記した課題を解決するためになされたものであり、水石鹸を収容するタンクへの水石鹸の補充が容易に行え、タンクの開口を開閉する蓋体とタンクとの組み立てを容易に行える水石鹸供給装置を提供することを目的とする。
【課題を解決するための手段】
【０００７】
本発明の一態様に係る水石鹸供給装置は、側壁と、上方に向けて開口した開口部と、を有し、水石鹸を貯溜するタンクと、タンクに貯溜された水石鹸を吐出する吐出部と、開口部を開閉する蓋体と、タンクへ前記蓋体を取り付けるための取付手段と、を備え、取付手段を中心軸として蓋体を回転させることで開口部の外部に露出する開放面積を変化させ、開口部を開閉する水石鹸供給装置であって、蓋体は、下方に向けて垂下し、開口部が全閉状態のときに側壁の内面に当接することで蓋体の回転動作を規制する垂下片を有し、取付手段は、タンク及び蓋体の一方に設けられた係止爪と、他方に設けられた係止孔と、を有し、係止爪を係止孔へ摺動させながら係止孔内へ内挿することで係止爪が係止孔内に係止されることを特徴とする。
【０００８】
このように構成された水石鹸供給装置によれば、蓋体は、下方に向けて垂下し、開口部が全閉状態のときに側壁の内面に当接することで蓋体の回転動作を規制する垂下片を有するため、タンクに蓋体の回転動作を規制する手段を設ける必要がなく、タンクの開口部の面積を広くとることができ、タンクへの水石鹸の補充が容易に行える。また、係止爪を係止孔へ摺動させながら係止孔内へ内挿することで係止爪が係止孔内に係止されてタンクへ蓋体が取り付けることができるため、タンクと蓋体との組み立てが容易に行える。
【０００９】
また、本発明の一態様に係る水石鹸供給装置は、蓋体の回転動作における中心軸と、係止孔の中心軸が同一であってもよい。
【００１０】
このように構成された水石鹸供給装置によれば、蓋体の回転動作において、蓋体がタンクに対してガタつくことを抑制することができる。
【００１１】
また、本発明の一態様に係る水石鹸供給装置は、係止爪は、中央部から先端に向けて断面積が小さくなるように傾斜した第一傾斜面を有してもよい。
【００１２】
このように構成された水石鹸供給装置によれば、係止爪を係止孔へ内挿し易くなり、タンクと蓋体との組み立てが容易に行える。
【００１３】
また、本発明の一態様に係る水石鹸供給装置は、係止爪は、第一傾斜面よりも基部側において基部から中央部に向けて断面積が大きくなるように傾斜した第二傾斜面を有してもよい。
【００１４】
このように構成された水石鹸供給装置によれば、蓋体が壊れる等して蓋体をタンクから取り外す際に、蓋体を上方へ引き抜くことで取り外すことができる。
【００１５】
また、本発明の一態様に係る水石鹸供給装置は、中央部と交わる水平面に対する第一傾斜面の傾斜角度は、水平面に対する第二傾斜面の傾斜角度よりも大きくてもよい。
【００１６】
このように構成された水石鹸供給装置によれば、蓋体をタンクへ取り付け易く、蓋体をタンクへ取り付けた後は蓋体がタンクから外れにくくなる。
【００１７】
また、本発明の一態様に係る水石鹸供給装置は、蓋体は、周壁を有し、周壁と略同一の高さを有し、蓋体とタンクとの間に介在することで蓋体をタンクの上面に対して平行な状態で保持するための台座を設けてもよい。
【００１８】
このように構成された水石鹸供給装置によれば、蓋体がタンクへ取り付けられている状態において、蓋体がタンクに対してガタつくことを抑制することができる。
【００１９】
また、本発明の一態様に係る水石鹸供給装置は、垂下片は、蓋体を開口部が開状態から全閉状態になるように回転させたときに側壁の上端部に当接し、該回転の方向に向けて上り傾斜した当接面を有してもよい。
【００２０】
このように構成された水石鹸供給装置によれば、蓋体によって開口部を全閉状態にするときに、蓋体の回転動作をスムーズに行うことができる。
【００２１】
また、本発明の一態様に係る水石鹸供給装置は、垂下片は、蓋体を開放面積が大きくなる方向へ回転させたときに、開放面積が所定の開放面積に達すると該回転動作を規制してもよい。
【００２２】
このように構成された水石鹸供給装置によれば、開口部を開口しようとして蓋体を回転させたときに、蓋体が回転しすぎて開口部を閉塞してしまうことを抑制することができる。
【発明の効果】
【００２３】
本発明の水石鹸供給装置によれば、水石鹸を収容するタンクへの水石鹸の補充が容易に行え、タンクの開口を開閉する蓋体とタンクとの組み立てを容易に行える。
【図面の簡単な説明】
【００２４】
【図１】本実施形態における水石鹸供給装置を備えた手洗装置の全体斜視図である。
【図２】本実施形態における水石鹸供給装置を備えた手洗装置の上面視図である。
【図３】本実施形態における水石鹸供給装置の上方斜視図である。
【図４】本実施形態におけるタンクの上方斜視図である。
【図５】本実施形態における蓋体の下方斜視図である。
【図６】本実施形態における係止部付近の拡大断面図である。
【図７】本実施形態におけるタンクへの蓋体の取付方法を説明するための図である。
【図８】本実施形態における蓋体の開状態から全閉状態までの回転動作を説明するための図である。
【図９】本実施形態における蓋体の回転動作における右方垂下片付近の断面拡大図である。
【図１０】本実施形態における蓋体の全閉状態から開状態までの回転動作を説明するための図である。
【図１１】本実施形態における蓋体の回転動作における左方垂下片付近の断面拡大図である。
【発明を実施するための形態】
【００２５】
＜手洗器の構成＞
まず、図１，２を参照して、本実施形態における水石鹸供給装置を備えた手洗装置について説明する。図１は、本実施形態における水石鹸供給装置を備えた手洗装置の全体斜視図である。図２は、本実施形態における水石鹸供給装置を備えた手洗装置の上面視図である。
【００２６】
図１，２に示すように、手洗装置１は、手洗器１０と、水を吐止水する水栓本体２０と、貯溜した水石鹸を供給する水石鹸供給装置３０と、を備える。水栓本体２０及び水石鹸供給装置３０は、手洗器１０の立壁１２に設置される。使用者は、水栓本体２０から吐水される水と水石鹸供給装置３０から供給される水石鹸によって、水石鹸による手洗を行うことができる。
【００２７】
＜水石鹸供給装置の構成＞
次に、図３〜６を参照して、本実施形態における水石鹸供給装置について説明する。図３は、本実施形態における水石鹸供給装置の上方斜視図である。図４は、本実施形態におけるタンクの上方斜視図である。図５は、本実施形態における蓋体の下方斜視図である。図６は、本実施形態における係止部付近の拡大断面図である。
【００２８】
図３に示すように、水石鹸供給装置３０は、立壁１２に固定される固定部材４０と、水石鹸を貯溜するタンク５０と、タンク５０の上部に取り付けられた蓋体６０と、タンク５０内に貯溜された水石鹸を吐出する吐出部としての操作桿８０と、を備える。
【００２９】
固定部材４０は、後端部４１が手洗器１０の立壁１２に固定され、前端部４２の上部にタンク５０が取り付けられる。また、前端部４２の下部には、操作桿８０が上下方向へ可動となるように設けられている。操作桿８０を上方へ押し上げることで、タンク５０内に貯溜された水石鹸を、操作桿８０を伝って下方へ吐出させることができる。
【００３０】
図４に示すように、タンク５０は、円筒形状をしたＰＰ（Ｐｏｌｙ−Ｐｒｏｐｙｌｅｎｅ）樹脂製の容器であり、底面５１と、底面５１から鉛直上方向に厚さ一定で延びる側壁５３と、上面５５と、を有する。底面５１には、下方へ突出し、外面に雄ねじが形成された円筒部５２が設けられている。固定部材４０の前端部４２上部に設けられた雌ねじ（図示せず）に円筒部５２の雄ねじを螺合することで、固定部材４０にタンク５０を取り付けることができる。
【００３１】
なお、タンク５０は、本実施形態のような円筒形状に限らず、断面輪郭が楕円の筒体形状であったり、直方体の形状であったりしてもよい。
【００３２】
上面５５には、上方に向けて大きく開口した開口部５６と、上下に貫通した係止孔５７と、上方へ突出する円筒状の突起である台座５８と、が設けられている。開口部５６は、側壁５３の内面５３ａ、上面５５の前端部５５ａ及び台座５８の外周面５８ａの一部に沿って開口している。係止孔５７は、タンク５０へ蓋体６０を取り付けるための取付手段である。また、台座５８は、その断面輪郭が係止孔５７の外輪郭よりもやや大きく、係止孔５７を囲むようにして配置されている。水石鹸供給装置３０は、タンク５０を固定部材４０に取り付けた状態において、開口部５６から水石鹸を注ぐことで、タンク５０内への水石鹸の補充を行うことができる。
【００３３】
図５，６に示すように、蓋体６０は、タンク５０と同様にＰＰ（Ｐｏｌｙ−Ｐｒｏｐｙｌｅｎｅ）樹脂で形成された円盤状の蓋であり、上面６１と、下面６２と、下面６２の周端から下方に向けて突出する周壁７０と、を有する。蓋体６０の外輪郭は、タンク５０の断面輪郭と一致している。
【００３４】
下面６２には、上下に貫通する通気孔６２ａと、後方寄り中央において下方へ突出する係止部６３と、が設けられている。係止部６３は、タンク５０へ蓋体６０を取り付けるための取付手段であり、係止部６３を係止孔５７に係止させることで、係止部６３を中心軸として回転可能となるように蓋体６０をタンク５０へ取り付けることができる。これにより、蓋体６０は、係止部６３を中心軸として回転することで開口部５６の外部に露出する開放面積を変化させ、開口部５６を開閉する。
【００３５】
係止部６３は、蓋体６０がタンク５０に取り付けられている状態において、蓋体６０の回転動作における中心軸Ｙ１が、係止孔５７の中心を通り鉛直方向に伸びる中心軸Ｙ２と同一となるように、蓋体６０の下面６２に設けられている。
【００３６】
係止部６３は、下方へ板状に延びて先端が略円錐形状をしたものが左右に二分割された左係止部６４及び右係止部６７によって構成されており、左係止部６４と右係止部６７は間隔を空けて配置されている。左係止部６４は、下方へ板状に延びた基部６５と、基部６５の下方に設けられた略半円錐形状の左方係止爪６６と、を有する。同じく、右係止部６７は、下方へ板状に延びた基部６８と、基部６８の下方に設けられた略半円錐形状の右方係止爪６９と、を有する。基部６５，６８は、下方へ板状に延びているため、蓋体６０の上面６１に発生するヒケを抑制し、外観を向上させる。
【００３７】
左方係止爪６６の外面には、中央部６６ａと、中央部６６ａから先端に向けて左方係止爪６６の断面積が小さくなるように傾斜した湾曲状の第一傾斜面６６ｂと、基部６５側から中央部６６ａに向けて左方係止爪６６の断面積が大きくなるように傾斜した湾曲状の第二傾斜面６６ｃと、が設けられている。
【００３８】
同じく、右方係止爪６９の外面には、中央部６９ａと、中央部６９ａから先端に向けて右方係止爪６９の断面積が小さくなるように傾斜した湾曲状の第一傾斜面６９ｂと、基部６８側から中央部６９ａに向けて右方係止爪６９の断面積が大きくなるように傾斜した湾曲状の第二傾斜面６９ｃと、が設けられている。
【００３９】
中央部６６ａ，６９ａと交わる水平面Ｘに対する第一傾斜面６６ｂ，６９ｂの傾斜角度αは、水平面Ｘに対する第二傾斜面６６ｃ，６９ｃの傾斜角度βよりも大きくなっている。
【００４０】
周壁７０の内面には、前方側において下方へ垂下する前方垂下片７１と、左右後方寄りにおいて下方へ垂下する左方垂下片７３及び右方垂下片７５と、が設けられている。前方垂下片７１、左方垂下片７３及び右方垂下片７５は、周壁７０の下端よりも下方へ延出している。
【００４１】
前方垂下片７１は、周壁７０の前方側の内面に沿って下方へ垂下した垂下片であり、左当接面７１ａと、右当接面７１ｂと、下当接面７１ｃと、を有する。左当接面７１ａは、右方に向かって下り傾斜している。また、右当接面７１ｂは、左方に向かって下り傾斜している。
【００４２】
＜タンクへの蓋体の取付方法＞
次に、図７を参照して、本実施形態におけるタンクへの蓋体の取付方法について説明する。図７は、本実施形態におけるタンクへの蓋体の取付方法を説明するための図である。
【００４３】
タンク５０へ蓋体６０を取り付ける際は、図７（ａ）に示すように、係止部６３の左方係止爪６６及び右方係止爪６９を上方からタンク５０の係止孔５７に向けて挿入する。このとき、左方係止爪６６の中央部６６ａと右方係止爪６９の中央部６９ａとの最大距離ｄは、係止孔５７の径ｘよりも大きいため、係止部６３を係止孔５７に内挿していくと、第二傾斜面６６ｃ，６９ｃが係止孔５７と当接する。この状態から蓋体６０を下方へ押し込むと、左方係止爪６６及び右方係止爪６９が係止孔５７内を摺動しながら内側に向けて力が加わり、図７（ｂ）に示すように、最大距離ｄが小さくなる方向に左方係止爪６６及び右方係止爪６９が弾性変形する。
【００４４】
図７（ｂ）の状態からさらに蓋体６０を下方へ押し込んでいくと、図７（ｃ）に示すように、やがて最大距離ｄが係止孔５７の径ｘと同一の大きさまで小さくなる。この状態で、左方係止爪６６の中央部６６ａ及び右方係止爪６９の中央部６９ａを係止孔５７へ摺動させながら係止孔５７内へ内挿していくと、やがて中央部６６ａ，６９ａが係止孔５７を通過して、図７（ｄ）に示すように、左方係止爪６６及び右方係止爪６９が係止孔５７内に係止される。こうして、タンク５０への蓋体６０の取り付けが完了する。
【００４５】
台座５８は、周壁７０と略同一の高さを有し、蓋体６０とタンク５０との間に介在することで蓋体６０をタンク５０の上面５５に対して平行な状態で保持している。具体的にいうと、左方係止爪６６及び右方係止爪６９が係止孔５７内に係止されている状態においては、蓋体６０の下面６２が台座５８の上端面５８ｂに当接しており、台座５８がタンク５０と蓋体６０との間に介在する。
【００４６】
なお、左方係止爪６６及び右方係止爪６９は、第一傾斜面６６ｂ，６９ｂを有しているため、蓋体６０がタンク５０に取り付けられている状態において、蓋体６０を上方へ引っ張り上げることで、左方係止爪６６及び右方係止爪６９の弾性変形によって蓋体６０をタンク５０から取り外すことが可能である。
【００４７】
＜蓋体の回転動作について＞
次に、図８〜１１を参照して、本実施形態における蓋体の回転動作について説明する。図８は、本実施形態における蓋体の開状態から全閉状態までの回転動作を説明するための図である。図９は、本実施形態における蓋体の回転動作における右方垂下片付近の断面拡大図である。図１０は、本実施形態における蓋体の全閉状態から開状態までの回転動作を説明するための図である。図１１は、本実施形態における蓋体の回転動作における左方垂下片付近の断面拡大図である。
【００４８】
まず、図８，９を参照して、蓋体６０による開口部５６の開状態から全閉状態までの回転動作について説明する。図８（ａ）は、タンク５０に取り付けられた蓋体６０が、開口部５６を外部にほぼ開放した状態である。図８，９においては、蓋体６０を時計回りに回転させることで、開口部５６の外部に露出する開放面積Ｓを変化させて開口部５６を開閉する。なお、ここでいう開放面積Ｓとは、水石鹸供給装置３０の上面視における、蓋体６０の周壁７０の側面と、側壁５３の内面５３ａ、及びタンク５０の上面５５の前端部５５ａによって囲まれた開口部５６の外部へ露出した部分の面積のことをいう。また、開口部５６の全閉状態とは、開口部５６の開放面積Ｓが０となった状態のことであり、開口部５６の開状態とは、開口部５６の開放面積Ｓが０でない状態のことである。
【００４９】
図８（ａ）の状態において、係止孔５７に係止した係止部６３を中心軸として蓋体６０を時計回りに回転させると、図８（ｂ）に示すように、前方垂下片７１の左当接面７１ａが側壁５３の外面上端部５３ｂに当接する。
【００５０】
左当接面７１ａは右方に向かって下り傾斜している、つまり蓋体６０が回転する方向に向けて上り傾斜しているため、図８（ｂ）の状態から蓋体６０をさらに時計回りに回転するように力を加えると、左当接面７１ａが側壁５３の外面上端部５３ｂを摺動しながら回転し、前方垂下片７１が側壁５３の上端面５３ｃに乗り上げる。そして、側壁５３の上端面５３ｃ上で前方垂下片７１を摺動させながら回転が進むと、図８（ｃ）に示すように、右方垂下片７５が側壁５３の外面上端部５３ｂに当接する。
【００５１】
ここで、図９へと進む。図９（ａ）は、図８（ｃ）におけるＡ−Ａ断面図である。図９（ａ）に示すように、右方垂下片７５は、下面７５ａと、周壁７０の下端面７０ａから鉛直下方向に延びた外側当接面７５ｂと、内面において外側当接面７５ｂに向けて下り傾斜した内側当接面７５ｃと、を有する。
【００５２】
図９（ａ）の状態から、蓋体６０を時計回りに回転するように力を加えると、内側当接面７５ｃは蓋体６０が回転する方向に向けて上り傾斜しているため、内側当接面７５ｃが側壁５３の外面上端部５３ｂを摺動しながら回転し、図９（ｂ）に示すように、右方垂下片７５が側壁５３の上端面５３ｃに乗り上げる。そして、側壁５３の上端面５３ｃ上で右方垂下片７５を摺動させながら回転が進むと、図９（ｃ）に示すように、右方垂下片７５が側壁５３を乗り越える。このとき、ほぼ同時に、前方垂下片７１が側壁５３を乗り越えるため、周壁７０の下端面７０ａが側壁５３の上端面５３ｃに当接する。
【００５３】
こうして、図８（ｄ）に示すように、蓋体６０が開口部５６を完全に覆った全閉状態となる。全閉状態においては、回転方向に多少の力が加わったとしても、左方垂下片７３、右方垂下片７５、及び前方垂下片７１が側壁５３の内面５３ａに当接することで蓋体６０の回転動作が規制され、蓋体６０は開口部５６を全閉した状態の位置を維持する。
【００５４】
次に、図１０，１１を参照して、蓋体６０による開口部５６の全閉状態から開状態までの回転動作について説明する。図１０（ａ）は、タンク５０に取り付けられた蓋体６０が、開口部５６を閉塞した全閉状態である。
【００５５】
図１０（ａ）の状態において、係止孔５７に係止した係止部６３を中心軸として蓋体６０を時計回りに回転させると、前方垂下片７１の左当接面７１ａ及び左方垂下片７３が側壁５３の内面５３ａに当接する。
【００５６】
ここで、図１１へと進む。図１１（ａ）は、図１０（ａ）におけるＢ−Ｂ断面図である。図１０（ａ）に示すように、左方垂下片７３は、右方垂下片７５と同様に、下面７３ａと、周壁７０の下端面７０ａから鉛直下方向に延びた外側当接面７３ｂと、内面において外側当接面７３ｂに向けて下り傾斜した内側当接面７３ｃと、を有する。
【００５７】
外側当接面７３ｂは鉛直下方向に延びているため、ある程度の力が加わったとしても蓋体６０の回転動作を規制するが、図１１（ａ）の状態から、蓋体６０を時計回りに回転するように強めに力を加えると、外側当接面７３ｂが側壁５３の内面５３ａの上端部を摺動しながら回転し、図１１（ｂ）に示すように、左方垂下片７３が側壁５３の上端面５３ｃに乗り上げる。そして、側壁５３の上端面５３ｃ上で左方垂下片７３を摺動させながら回転が進むと、図１１（ｃ）に示すように、左方垂下片７３が側壁５３を乗り越える。
【００５８】
図１１（ｃ）の状態からさらに蓋体６０を時計回りに回転させると、前方垂下片７１が側壁５３の上端面５３ｃ上を摺動しながら回転し、図１０（ｂ）に示すように、やがて前方垂下片７１が側壁５３を乗り越える。
【００５９】
図１０（ｂ）の状態から、開口部５６の外部に露出する開放面積Ｓが大きくなるようにさらに時計回りに回転させ、やがて開放面積Ｓが所定の面積に達すると、図１０（ｃ）に示すように、右方垂下片７５が側壁５３の内面５３ａに当接し、蓋体６０の回転動作が規制される。
【００６０】
図１０（ｃ）の状態から開放面積Ｓが大きくなる方向へ回転させたときに、ある程度の力が加わったとしても、右方垂下片７５が側壁５３の内面５３ａに当接して蓋体６０の回転動作を規制する。ただし、図１０（ｃ）の状態から開放面積Ｓが大きくなる方向へ強めの力が加わると、右方垂下片７５が側壁５３を乗り越えて蓋体６０は時計回りに回転する。このとき、蓋体６０が回転しすぎて、蓋体６０の時計回りの回転動作が再び開放面積Ｓが小さくなる方向への回転動作となってしまい、意図せずして蓋体６０が開口部５６を閉塞してしまう恐れがある。しかし、図１０（ｄ）に示すように、蓋体６０が開放面積Ｓを小さくする前に左方垂下片７３が側壁５３の外面上端部５３ｂに当接することで、蓋体６０の回転動作が規制される。これにより、蓋体６０が勝手に開口部５６を閉塞することを抑制することができる。
【００６１】
なお、蓋体６０は、本実施形態のように蓋体６０を回転させる方向が時計回りでなく反時計回りに回転させることでも、開口部５６の外部に露出する開放面積Ｓを変化させて開口部５６を開閉することが可能である。
【００６２】
＜作用・効果＞
次に、本実施形態における水石鹸供給装置の作用効果を説明する。
【００６３】
本実施形態においては、蓋体６０が開口部５６を完全に覆った全閉状態において蓋体６０を回転させた場合、蓋体６０の周壁７０内面に設けられた前方垂下片７１、左方垂下片７３及び右方垂下片７５が側壁５３の内面５３ａに当接することで、蓋体６０の回転動作が規制される。これにより、タンク５０側に蓋体６０の全閉状態を維持するための回転規制手段を設ける必要がなく、タンク５０の開口部５６の面積を広くとることができるため、タンク５０への水石鹸の補充が容易に行える。また、蓋体６０に設けられた係止部６３をタンク５０に設けられた係止孔５７内へ摺動させながら内挿して係止部６３を係止孔５７内に係止することで、タンク５０へ蓋体６０を取り付けることができる。これにより、タンク５０と蓋体６０との組み立てが容易に行える。
【００６４】
また、係止部６３は、蓋体６０がタンク５０に取り付けられている状態において、蓋体６０の回転動作における中心軸Ｙ１が、係止孔５７の中心を通り鉛直方向に伸びる中心軸Ｙ２と同一となるように、蓋体６０の下面６２に設けられている。これにより、蓋体６０が回転するときに、蓋体６０がタンク５０に対してガタつくことを抑制することができる。
【００６５】
また、左方係止爪６６及び右方係止爪６９は、中央部６６ａ，６９ａから先端に向けて断面積が小さくなるように傾斜した第一傾斜面６６ｂ，６９ｂを有する。これにより、係止部６３を係止孔５７内へ内挿し易くなる。
【００６６】
また、左方係止爪６６及び右方係止爪６９は、基部６５，６８側から中央部６６ａ，６９ａに向けて断面積が大きくなるように傾斜した第二傾斜面６６ｃ，６９ｃを有する。これにより、蓋体６０が壊れる等して蓋体６０をタンク５０から取り外す際に、蓋体６０を上方へ引き抜くことで取り外すことができる。
【００６７】
また、中央部６６ａ，６９ａと交わる水平面Ｘに対する第一傾斜面６６ｂ，６９ｂの傾斜角度αは、水平面Ｘに対する第二傾斜面６６ｃ，６９ｃの傾斜角度βよりも大きくなっている。これにより、蓋体６０をタンク５０へ取り付け易く、蓋体６０をタンク５０へ取り付けた後は、蓋体６０がタンク５０から外れにくくなる。
【００６８】
また、台座５８は、周壁７０と略同一の高さを有し、蓋体６０とタンク５０との間に介在することで蓋体６０をタンク５０の上面５５に対して平行な状態で保持している。具体的にいうと、左方係止爪６６及び右方係止爪６９が係止孔５７内に係止されている状態においては、蓋体６０の下面６２が台座５８の上端面５８ｂに当接しており、台座５８がタンク５０と蓋体６０との間に介在する。これにより、蓋体６０がタンク５０へ取り付けられている状態において、蓋体６０がタンク５０に対してガタつくことを抑制することができる。
【００６９】
また、蓋体６０を開口部５６が開状態から全閉状態になるように時計回りに回転させたときに、タンク５０の側壁５３の外面上端部５３ｂに当接する前方垂下片７１の左当接面７１ａ及び右方垂下片７５の内側当接面７５ｃは、蓋体６０が回転する方向に向けて上り傾斜している。これにより、蓋体６０によって開口部５６を全閉状態にするときに、蓋体６０の回転動作をスムーズに行うことができる。
【００７０】
また、蓋体６０は、係止部６３を中心軸として３６０度回転することができるため、開口部５６の開放面積Ｓが大きくなるように回転させたときに、回転しすぎて開口部５６の開放面積Ｓが小さくなるように回転してしまう恐れがある。しかし、本実施形態においては、蓋体６０に対する開口部５６の開放面積Ｓが大きくなるように時計回りに回転させ、やがて開放面積Ｓが所定の面積に達すると右方垂下片７５が側壁５３の内面５３ａに当接し、蓋体６０の回転動作が規制される。これにより、開口部５６を開口しようとして蓋体６０を回転させたときに、蓋体６０が回転しすぎて開口部５６を閉塞してしまうことを抑制することができる。
【００７１】
以上、本願の開示する技術の実施形態について説明したが、本願の開示する技術は、上記に限定されるものではない。
【００７２】
例えば、上記実施形態においては、蓋体６０の下面６２に係止部６３を設け、タンク５０の上面５５に係止孔５７を設けたが、本発明はこれに限らず、蓋体６０に係止孔５７を設け、タンク５０に係止部６３を設けてもよい。
【００７３】
また、上記実施形態においては、係止部６３は、下方へ板状に延びて先端が略円錐形状をしたものが左右に二分割された左係止部６４及び右係止部６７によって構成されているが、本発明はこれに限らず、例えば左右に二分割されていない先端が円錐状の係止部であってもよく、先端が球状である係止部であってもよい。
【００７４】
前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１        手洗装置
１０      手洗器
１２      立壁
２０      水栓本体
３０      水石鹸供給装置
４０      固定部材
４１      後端部
４２      前端部
５０      タンク
５１      底面
５２      円筒部
５３      側壁
５３ａ    内面
５３ｂ    外面上端部（上端部）
５３ｃ    上端面
５５      上面
５５ａ    前端部
５６      開口部
５７      係止孔（取付手段）
５８      台座
５８ａ    外周面
５８ｂ    上端面
６０      蓋体
６１      上面
６２      下面
６２ａ    通気孔
６３      係止部（取付手段）
６４      左係止部
６５      基部
６６      左方係止爪
６６ａ    中央部
６６ｂ    第一傾斜面
６６ｃ    第二傾斜面
６７      右係止部
６８      基部
６９      右方係止爪
６９ａ    中央部
６９ｂ    第一傾斜面
６９ｃ    第二傾斜面
７０      周壁
７１      前方垂下片
７１ａ    左当接面
７１ｂ    右当接面
７１ｃ    下当接面
７３      左方垂下片
７３ａ    下面
７３ｂ    外側当接面
７３ｃ    内側当接面
７５      右方垂下片
７５ａ    下面
７５ｂ    外側当接面
７５ｃ    内側当接面
８０      操作桿（吐出部）
Ｙ１      中心軸
Ｙ２      中心軸
α        傾斜角度
β        傾斜角度
ｄ        最大距離
ｘ        径
Ｓ        開放面積
【図１】
0006541095.tif 000002
【図２】
0006541095.tif 000003
【図３】
0006541095.tif 000004
【図４】
0006541095.tif 000005
【図５】
0006541095.tif 000006
【図６】
0006541095.tif 000007
【図７】
0006541095.tif 000008
【図８】
0006541095.tif 000009
【図９】
0006541095.tif 000010
【図１０】
0006541095.tif 000011
【図１１】
0006541095.tif 000012